(57)【要約】      （修正有）【課題】モータの外径および全長を小さくでき,大きな外力が加わった場合でも部品やロータマグネットの破損を防止する。【解決手段】第１と第２のステータヨークの極歯の間に樹脂が充填されると共にこの樹脂にてステータの軸方向外側に上部ボスと下部ボスを一体形成してなり、ステータは中央に開口部を有する円板状ヨークの外周部に複数の極歯を有する第１のステータヨーク７と中央に開口部を有する円板状ヨークの外周部に複数の極歯を有する第２のステータヨークと第１と第２のステータヨーク１１を結合する中空円筒コア８からなり、前記ステータの中空円筒コアの内部に付勢手段を備え、付勢手段は円筒状の押圧部２６とコイルスプリング２５であって、押圧部の小径部がコイルスプリングに挿通されて大径部の端面にて回転軸の端部を軸方向に付勢してなり、押圧部の端部が下部ボスに当接することによって回転軸の軸方向の移動を制限するストッパー手段とした。【選択図】図３
2005151657.tif 000002
【特許請求の範囲】
【請求項１】
複数の極歯を有する第１のステータヨークと該第１のステータヨークの内側に配設される複数の極歯を有する第２のステータヨークとボビンに巻回されたコイルから構成されるステータが２つと、多極着磁されたロータマグネットと、該ロータマグネットが固着された回転軸とであって、前記ロータマグネットの軸方向両側に前記ステータをそれぞれ配設し、前記ステータの第２のステータヨークの極歯と対向して前記ロータマグネットが回転可能に配置してなるステッピングモータにおいて、
前記ステータの第１と第２のステータヨークの極歯の間に樹脂が充填されると共に該樹脂にて同時に前記それぞれのステータの軸方向外側に上部ボスと下部ボスを一体形成してなり、前記ステータは中央に開口部を有する円板状ヨークの外周部に複数の極歯を有する第１のステータヨークと中央に開口部を有する円板状ヨークの外周部に複数の極歯を有する第２のステータヨークと前記第１と第２のステータヨークを結合する中空円筒コアからなり、前記ロータマグネットの一方側に配設された前記ステータの中空円筒コアの内部に付勢手段を備え、該付勢手段は大径部と小径部からなる円筒状の押圧部とコイルスプリングであって、前記押圧部の小径部が前記コイルスプリングに挿通されて前記大径部の端面にて前記回転軸の端部を軸方向に付勢してなり、前記押圧部の端部が前記下部ボスに当接することによって前記回転軸の軸方向の移動を制限するストッパー手段としたことを特徴とするステッピングモータ。
【請求項２】
前記付勢手段に所定の付勢力が付与されたとき、前記押圧部の小径部の端面と前記下部ボスとの間の隙間が、前記ロータマグネットの端面と該ロータマグネットの端面と対向する前記第２のステータヨークとの間の隙間よりも小さいことを特徴とする請求項１に記載のステッピングモータ。
【請求項３】
前記下部ボスは中央に前記コイルスプリングが係合する凹部を有したことを特徴とする請求項１または２に記載のステッピングモータ。
【請求項４】
前記上部ボスに前記回転軸を支承する軸受を配設し、該軸受が前記合成樹脂の充填時に同時に取り付けられてなることを特徴とする請求項１ないし３のうちのいずれか１項に記載のステッピングモータ。
【請求項５】
前記回転軸はリードスクリュウ部とシャフトからなり、該シャフトが前記リードスクリュウ部に圧入にて結合してなることを特徴とする請求項１ないし４のうちのいずれか１項記載のステッピングモータ。
【発明の詳細な説明】
【技術分野】
【０００１】
本発明は光磁気ディスク装置などのＯＡ機器や、ディジタル・ビデオ・ディスク装置などの光ディスク装置やビデオカメラなどのＡＶ機器などのアクチュエータ用ステッピングモータに係り、特に小型化、高性能化のクローポール型のステッピングモータに関する。
【背景技術】
【０００２】
従来から、各種電子機器の小型化の要望に伴い、その装置内に収容されるモータについても収容スペースに合わせて小型化が要求されるようになってきている。
【０００３】
ところで従来のクローポール型ステッピングモータは、駆動コイルをロータマグネットの外周に配置する構造が一般的で、このため、駆動コイルの内側にロータマグネットを配置する関係から、駆動コイルの内径をロータマグネットの外径より小さくすることができず、モータの外径が小径化するほどロータマグネットの外径も小さくなり、これによってモータ特性が著しく低下してしまい、モータの小型化を実現することは困難であった。
【０００４】
このような問題に対し、小型化を実現したステッピングモータが提案されている（特許文献１）。
【０００５】
図５にそのステッピングモータの構造を示す。図５において、ステッピングモータ50はロータマグネット51の外周に近接対向する極歯部54を備える外ヨーク52と内ヨーク53、それを励磁するコイル55からなるステータ56、57を備え、ステータ56、57をロータマグネット51の軸方向両端側に配置している。このような構造によりモータ50の外径はロータマグネット51の外径に極歯部の厚さを加えた径に略等しい大きさまで小さくすることができる。
【０００６】
またこのようなロータマグネットの軸方向両端側にステータを配置して小型化したモータの出力軸にリードスクリュウを形成したモータが提案されている（特許文献２）。
【０００７】
図６にそのリードスクリュウ付きステッピングモータ60の構造を示す。図６において、ロータマグネット61の両端にコイル62を備えたステータ63、64が配置され、出力軸であるシャフト65の一方側にリードスクリュウ66が形成され、シャフト65の両端を軸受67、68にて回転自在に支承し、リードスクリュウ66が形成されてない側の軸受67を皿ばね状のばね材69にて予圧が付勢している。
【０００８】
また、モータの全長を小さくでき、かつ付勢力を一定に保つことができ、モータの小型化を実現したステッピングモータが提案されている（特許文献３）。
【０００９】
図７にそのステッピングモータ70の構造を示す。図７において、出力軸71の一方側にはリードスクリュー部72が形成され、出力軸71の先端部73は先端軸受74にて支承され、出力軸71の他方側はステータ内軸受75にて支承され、出力軸71は先端軸受74とステータ内軸受75とで回転可能に支持されている。また圧縮コイルスプリング76とスライド部材77からなる加圧手段にて出力軸71の他方端は軸方向に加圧されている。この加圧手段はステータの中空柱形状の内筒78の内部に収納された構造のため、組み立て時の作業効率が向上するとともにモータの全長を小さくできる。
【００１０】
【特許文献１】特開平６−５４５１０号公報
【特許文献２】特開平１１−２５２８９０号公報
【特許文献３】特開２０００−２８７４３４号公報
【発明の開示】
【発明が解決しようとする課題】
【００１１】
しかしながら、図６に示した従来のリードスクリュウ付きステッピングモータ60は、皿ばね状のばね材69にて付勢しているため、ばね材の付勢力が安定せず、付勢力を一定にして安定性を保つことが難しいという問題がある。また、一方側の軸受67はステータ65の外側に配置されているため、モータの全長を小さくできないという問題がある。
【００１２】
また、図７に示した従来のステッピングモータ70は図６に示した従来のリードスクリュウ付きステッピングモータ60の問題を解決できるステッピングモータの構造となっている。
【００１３】
上述の特許文献３に記載のモータ70は、出力軸71の他方端を軸方向に加圧する手段として、ステータの中空柱形状の内筒78の内部に収納された圧縮コイルスプリング76とスライド部材77からなる加圧手段にて加圧しており、圧縮コイルスプリング76はスライド部材77の端面に当接してスライド部材77と蓋79の間に配設されている。
【００１４】
ところで、出力軸71のリードスクリュー部72に係合する係合部材のイナーシャが大きい場合には出力軸71は圧縮コイルスプリング76とスライド部材77からなる加圧手段による加圧力に逆らってスライド部材77を押し戻す。モータ70を組み込んだ装置や機器が落下した場合、落下時の衝撃により、押し戻す力が大きくなり、圧縮コイルスプリング76の収縮量が大きいと出力軸71の先端部73が先端軸受74から外れてしまうという問題がある。また、出力軸71の先端部73が先端軸受74から外れてしまうまでに至らずとも、出力軸71に固着されたロータマグネット80の端面81が第１のコイル82に衝突、あるいはロータマグネット80の嵌合部84の端面83がステータ内軸受75に衝突してしまい、第１のコイル82またはステータ内軸受75あるいはロータマグネット80の端面81、83が破損してしまうという問題がある。
【００１５】
本発明は上記の点に鑑みてなされたもので、モータの外径および全長を小さくできるとともに大きな外力が加わった場合でも部品やロータマグネットの破損を防止できるステッピングモータを提供することを目的とする。
【課題を解決するための手段】
【００１６】
本発明は上記の目的を達成するため、本発明のステッピングモータは、複数の極歯を有する第１のステータヨークと該第１のステータヨークの内側に配設される複数の極歯を有する第２のステータヨークとボビンに巻回されたコイルから構成されるステータが２つと、多極着磁されたロータマグネットと、該ロータマグネットが固着された回転軸とであって、前記ロータマグネットの軸方向両側に前記ステータをそれぞれ配設し、前記ステータの第２のステータヨークの極歯と対向して前記ロータマグネットが回転可能に配置してなるステッピングモータにおいて、前記ステータの第１と第２のステータヨークの極歯の間に樹脂が充填されると共に該樹脂にて同時に前記それぞれのステータの軸方向外側に上部ボスと下部ボスを一体形成してなり、前記ステータは中央に開口部を有する円板状ヨークの外周部に複数の極歯を有する第１のステータヨークと中央に開口部を有する円板状ヨークの外周部に複数の極歯を有する第２のステータヨークと前記第１と第２のステータヨークを結合する中空円筒コアからなり、前記ロータマグネットの一方側に配設された前記ステータの中空円筒コアの内部に付勢手段を備え、該付勢手段は大径部と小径部からなる円筒状の押圧部とコイルスプリングであって、前記押圧部の小径部が前記コイルスプリングに挿通されて前記大径部の端面にて前記回転軸の端部を軸方向に付勢してなり、前記押圧部の端部が前記下部ボスに当接することによって前記回転軸の軸方向の移動を制限するストッパー手段としたことを特徴とする。
【００１７】
また、本発明のステッピングモータは、上記構成において、付勢手段に所定の付勢力が付与されたとき、押圧部の小径の端面と下部ボスとの間の隙間が、ロータマグネットの端面と該ロータマグネットの端面と対向する第２のステータヨークとの間の隙間よりも小さいことを特徴とする。
【００１８】
また、本発明のステッピングモータは、上記構成において、下部ボスは中央にコイルスプリングが係合する凹部を有したことを特徴とする。
【００１９】
また、本発明のステッピングモータは、上記構成において、上部ボスに回転軸を支承する軸受を配設し、該軸受が合成樹脂の充填時に同時に取り付けられてなることを特徴とする。
【００２０】
また、本発明のステッピングモータは、上記構成において、回転軸はリードスクリュウ部とシャフトからなり、該シャフトがリードスクリュウ部に圧入にて結合してなることを特徴とする。
【発明の効果】
【００２１】
本発明によれば、モータの径方向および軸方向の寸法を小さくすることができ、ステッピングモータ全体を小型化できるとともに大きな外力によって回転軸が軸方向に移動してもストッパー機構によってロータマグネットの破損を防止できるステッピングモータを提供することができる。
【００２２】
すなわち本発明によれば、コイルスプリングをＢ相ステータの中空円筒コアの中空部分に挿入し、大径部と小径部からなる円筒状の押圧部の小径部をコイルスプリング25の内径部分に挿通し、コイルスプリングによる付勢力によって押圧部の大径部にてシャフトの端部に当接させ、シャフトは軸方向に所定の値で付勢される。シャフトに所定の値で付勢力された状態のとき、押圧部の小径部の端面と小径部の端面に対向する下部ボスとの間の隙間を、ロータマグネットの端面とロータマグネットの端面と対向する第２のステータヨークとの間の隙間よりも小さくなるように調整して、Ａ相ステータとＢ相ステータを結合することにより、大きな外力によってシャフトが軸方向に移動しても押圧部の小径部がストッパー機構として作用して、ロータマグネットが第２のステータヨークと接触することを防止できる結果、ロータマグネットの破損を防止できるステッピングモータを提供することができるとともにモータの径方向および軸方向の寸法を小さくすることができ、ステッピングモータ全体を小型化できる。
【００２３】
また本発明によれば、樹脂成形時に同時にシャフトを支承するメタル含油軸受を上部ボスに取り付けることによって、メタル含油軸受の位置決め精度の向上が図れるとともにメタル含油軸受の取り付け作業を省略でき、作業効率が向上できる。
【発明を実施するための最良の形態】
【００２４】
以下、本発明による実施の形態について図面を参照して説明する。
【００２５】
図１は、本発明の一実施例に係るステッピングモータの外観を示す斜視図であり、図２は、そのステッピングモータの部分断面斜視図である。
【００２６】
また、図３は図２に示したステッピングモータの断面図である。
【００２７】
また、図４は図２に示したステッピングモータにおいて、樹脂成形する前の状態を示す部分断面の分解斜視図である。
【００２８】
図２に示す本実施の形態のステッピングモータ1は、ロータマグネット3の軸方向の一方の端にＡ相のステータ5（図４参照）を設け、また他方の端にＢ相のステータ6（図４参照）を設けた構造であり、Ａ相のステータ5を構成する各部品およびＢ相のステータ6を構成する各部品はまったく同じものを用いることができ、２つのステータをまったく同じ形状にすることができる。これによれば、部品製造のコストを低減することができるという効果がある。
【００２９】
Ｂ相のステータ6は、第１のステータヨーク7と、中空円筒コア8と、ボビン9に巻回されたコイル10と、第２のステータヨーク11と、カバーリング12から構成される。
【００３０】
第１のステータヨーク7は中央に開口部7aが形成された第１の円板7bと、この円板7bの外周には軸方向に突出する複数の極歯7cが円周方向に等配置で形成されている。
【００３１】
第２のステータヨーク11は中央に開口部11aが形成された第２の円板11bと、この円板11bの外周には軸方向に突出する複数の極歯11cが円周方向に等配置で形成されている。
【００３２】
中空円筒コア8は後述するロータ2のシャフト4が貫通できるように中空構造になっており、第１のステータヨーク7と第２のステータヨーク11を結合するためのものである。
【００３３】
第１のステータヨーク7と第２のステータヨーク11及び中空円筒コア8は、たとえばＳＥＣＣ（電気亜鉛めっき鋼板）、珪素鋼板、ＳＵＹ（電磁軟鉄）等の軟磁性板を用いて作製される。
【００３４】
コイル10はボビン9に巻回されており、ボビン9にはコイル10に通電するための端子9aが取り付けられる端子部9bを備えている。ボビン9は、たとえば液晶ポリマーなどで作製される。
【００３５】
カバーリング12はＢ相のステータ5を後述する樹脂16にて一体成形する際、ボビン9に巻回されたコイル10を樹脂16から保護するためのものであり、たとえばボビン9と同じ液晶ポリマーなどで作製される。
【００３６】
Ｂ相のステータ6は次のようにして作製される。
【００３７】
まず、ステータサブアッシＢを作製する。ステータサブアッシＢは、第１のステータヨーク7と第２のステータヨーク11の間にコイル10を巻回したボビン9とカバーリング12を配置し、中空円筒コア8をボビン9とカバーリング12に挿通させ、第１のステータヨーク7の開口部7aと第２のステータヨーク11の開口部11aに中空円筒コア8を圧入して第１のステータヨーク7と第２のステータヨーク11を結合する。このとき、第１のステータヨーク7の極歯7cと第２のステータヨーク11の極歯11cが交互になるように配置し、第１のステータヨーク7の極歯7cと第２のステータヨーク11の極歯11cは互いに電気角で１８０°ずれるように配置される。
【００３８】
ボビン9の位置決めが必要な場合には、第２のステータヨーク11とボビン9に位置決め用機構を形成し、位置決め用機構を用いて位置決めできる。この位置決め用機構は、たとえば凸部と凹部を嵌合させることによって位置決めできるし、切り欠き等を設けて、これを利用しても良いことは勿論である。
【００３９】
次に図示しない金型内に上述のステータサブアッシＢを所定の位置にセットし、たとえば射出成型によって樹脂モールドして一体成形される。また、このとき樹脂16によって下部ボス14も同時に成形される。この下部ボス14は中空円筒コア8の蓋および後述するエンドプレート27の取り付け部として機能する。また下部ボス14の中央には凹部15が形成され、この凹部15は後述するコイルスプリング25が係合される。この下部ボス14の中央には凹部15を形成することにより、コイルスプリング25の位置決めや姿勢が安定する。
【００４０】
樹脂16は第１のステータヨーク7と第２のステータヨーク11の各極歯7c、11cの間に充填され、各部材は強固に固着される。このように樹脂16によって一体成形されることによって極歯の間への異物の侵入を防止できるとともに各部材が強固に固着され、軽量でかつステータ全体の強度が向上できる。
【００４１】
Ａ相のステータ5は、Ｂ相のステータ6と同様、第１のステータヨーク17と、中空円筒コア18と、ボビン19に巻回されたコイル20と、第２のステータヨーク21と、カバーリング22から構成される。
【００４２】
第１のステータヨーク17は中央に開口部17aが形成された第１の円板17bと、この円板17bの外周には軸方向に突出する複数の極歯17cが円周方向に等配置で形成されている。
【００４３】
第２のステータヨーク21は中央に開口部21aが形成された第２の円板21bと、この円板21bの外周には軸方向に突出する複数の極歯21cが円周方向に等配置で形成されている。
【００４４】
中空円筒コア18は後述するロータ2のシャフト4が貫通できるように中空構造になっており、第１のステータヨーク17と第２のステータヨーク21を結合するためのものである。
【００４５】
第１のステータヨーク17と第２のステータヨーク21及び中空円筒コア18は、たとえばＳＥＣＣ（電気亜鉛めっき鋼板）、珪素鋼板、ＳＵＹ（電磁軟鉄）等の軟磁性板を用いて作製される。
【００４６】
コイル20はボビン19に巻回されており、ボビン19にはコイル20に通電するための端子19aが取り付けられる端子部19bを備えている。ボビン19は、たとえば液晶ポリマーなどで作製される。
【００４７】
カバーリング22はＡ相のステータ5を樹脂16にて一体成形する際、ボビン19に巻回されたコイル20を樹脂16から保護するためのものであり、たとえばボビン19と同じ液晶ポリマーなどで作製される。
【００４８】
Ａ相のステータ5は次のようにして作製される。
【００４９】
まず、ステータサブアッシＡを作製する。ステータサブアッシＡは、第１のステータヨーク17と第２のステータヨーク21の間にコイル20を巻回したボビン19とカバーリング22を配置し、中空円筒コア18をボビン19とカバーリング22に挿通させ、第１のステータヨーク17の開口部17aと第２のステータヨーク21の開口部21aに中空円筒コア18を圧入して第１のステータヨーク17と第２のステータヨーク21を結合する。このとき、第１のステータヨーク17の極歯17cと第２のステータヨーク21の極歯21cが交互になるように配置し、第１のステータヨーク17の極歯17cと第２のステータヨーク21の極歯21cは互いに電気角で１８０°ずれるように配置される。
【００５０】
ボビンの位置決めが必要な場合には、第２のステータヨーク21とボビン19に位置決め用機構を形成し、位置決め用機構を用いて位置決めできる。この位置決め用機構は、たとえば凸部と凹部を嵌合させることによって位置決めできるし、切り欠き等を設けて、これを利用しても良いことは勿論である。
【００５１】
次に図示しない金型内にステータサブアッシＡとメタル含油軸受23を所定の位置にセットする。このメタル含油軸受23はロータ2のシャフト4を支承するためのものである。ステータサブアッシＡとメタル含油軸受23をセット後、たとえば射出成型によって樹脂モールドして一体成形される。また、このとき樹脂によって上部ボス24も同時に成形され、メタル含油軸受23も同時に上部ボス24内に成形される。上部ボス24はメタル含油軸受23の取り付けとともに後述するトッププレート28の取り付け部として機能する。
【００５２】
なお、Ａ相のステータサブアッシＡとＢ相のステータサブアッシＢは便宜上、区別して説明しているが、同じ構造であって、どちらにも使用できることは勿論である。
【００５３】
Ａ相のステータサブアッシＡとＢ相のステータサブアッシＢの作製時、樹脂モールドに使用される樹脂16の材料としては、たとえばＰＰＳ（ポリフェニレンサルファイド）、ＰＢＴ（ポリブチレンテレフタレート）、液晶ポリマーなどが好適である。
【００５４】
ロータ2はシャフト4とシャフト4に固着されたロータマグネット3からなり、シャフト4の少なくとも一方端は球面4aに加工されている。表面に多極着磁されたロータマグネット3はシャフト4に直接固着してあってもよいが、非磁性材からなるスリーブの外周面にリング状のロータマグネットを固着し、スリーブを介してシャフト4に固着してもよい。ロータマグネット3はフェライト磁石でもよいが、フェライト磁石よりも高い磁気特性を有する希土類磁石が好適である。シャフト4は、たとえばステンレス鋼で作製され、スリーブは、たとえばアルミ合金や樹脂などで作製される。
【００５５】
ステッピングモータ1は次の手順によって組み立てられる。
【００５６】
コイルスプリング25をＢ相ステータ7の中空円筒コア8の中空部分8aに挿入し、大径部26aと小径部26bからなる円筒状の押圧部26の小径部26bをコイルスプリング25の内径部分に挿通し、ロータマグネット3が固着されたシャフト4の一端をメタル含油軸受23に挿通させ、コイルスプリング25と押圧部26とロータ2をＡ相ステータ5とＢ相ステータ6の間に配置する。下部ボス14をエンドプレート27の中央の開口部27aに挿通し、上部ボス24をトッププレート28の中央の開口部28aに挿通させ、結合用パイプ29をトッププレート28、エンドプレート27、Ａ相ステータ5、Ｂ相ステータ6に挿通させた後、結合用パイプ29をカシメてＡ相ステータ5とＢ相ステータ6を結合させる。Ａ相ステータ5とＢ相ステータ6に挿通させる穴は樹脂16による成形時に形成される。
【００５７】
なお、Ａ相ステータ5とＢ相ステータ6は、Ａ相ステータ5の第１のステータヨーク17の極歯17aとＢ相ステータ6の第１のステータヨーク7の極歯7cとが互いに電気角で９０°ずれるように位置決めした構成にて結合される。
【００５８】
また、Ａ相ステータ5とＢ相ステータ6の結合は結合用パイプ29をカシメているが、ボルトなどで結合しても勿論よい。
【００５９】
トッププレート28およびエンドプレート27は、たとえばＳＥＣＣ材からなっているが、これらは磁性材でも非磁性材でもよく、特に材質は問わない。
【００６０】
ロータ2のシャフト4の一方端は球面4aに加工され、押圧部26の大径部26aの端面26cに当接し、シャフト4の他方端はリードスクリュウ部30に圧入して、リードスクリュウ部30と結合している。
【００６１】
リードスクリュウ部30は、たとえばステンレス鋼から作製され、先端は球面30aに加工され、ブラケット31に取り付けられた先端軸受32にて支持され、他方端はシャフト4と結合して回転軸を構成する。
【００６２】
ブラケット31とトッププレート28は別体にて形成されているが、ブラケット31とトッププレート28は一体にて形成されていても勿論よい。
【００６３】
次に、コイルスプリング25と押圧部26からなる付勢手段について説明する。
Ａ相ステータ5とＢ相ステータ6を結合させると、コイルスプリング25の一方端は下部ボスに当接し、他方端は押圧部26の大径部の端部に当接する。コイルスプリング25によって円筒状の押圧部26の大径部の端面26cがシャフト4の端部に形成された球面4aに当接し、シャフト4は軸方向に付勢される。この軸方向に付勢される力はスプリングコイル25による予圧であって、これによって回転軸のガタを抑制する。この予圧の大きさはスプリングコイル25のコイル長さとバネ定数によって制御される。回転軸への予圧の付与は板ばねでも可能であるが、板ばねではばね定数が安定しないため、スプリングコイルの方が好適である。
【００６４】
回転軸に所定の予圧が付与された状態のとき、押圧部26の小径部の端面26dと小径部の端面26dに対向する下部ボス14との間の隙間は、ロータマグネット3の端面3aとロータマグネットの端面3aと対向する第２のステータヨーク11との間の隙間よりも小さくなるように調整されて、Ａ相ステータ5とＢ相ステータ6は結合される。
【００６５】
リードスクリュウ部30に係合する部材によるイナーシャが大きく、回転軸が下部ボス方向に移動した場合、シャフトの端部は押圧部26を下部ボス方向に押し戻し、押圧部26の小径部の端面26dが下部ボス14に当接し、回転軸の移動量を規制するため、ストッパーとして機能する。このとき、上述のような隙間に調整されて位置決めされるため、押圧部26の小径部26bによるストッパー機構によって、リードスクリュウ部30の先端部分が先端軸受32から外れることを防止できると共にロータマグネット3が第２のステータヨーク11に接触することによるロータマグネット3の破損を防止できる。
【００６６】
円筒状の押圧部26は、摺動性のある部材にて作製され、たとえばＰＰＳ（ポリフェニレンサルファイド）、ＰＯＭ（ポリオキシメチレン）、液晶ポリマーなどが好適である。
【００６７】
リードスクリュウ部30の先端は球面に加工されて先端軸受32に支承されているが、先端軸受32の凹部32にボールを配置し、ボールを介して支承してもよい。
【図面の簡単な説明】
【００６８】
【図１】本発明の一実施例に係るステッピングモータの外観を示す斜視図である。
【図２】本発明の一実施例に係るステッピングモータの構造を示す部分断面の斜視図である。
【図３】図２に示すステッピングモータの断面図である。
【図４】図２に示すステッピングモータにおける樹脂モールド前の状態を示した分解斜視図である。
【図５】従来のステッピングモータの構造を示す断面図である。
【図６】従来のステッピングモータの構造を示す断面図である。
【図７】従来のステッピングモータの構造を示す断面図である。
【符号の説明】
【００６９】
１  ステッピングモータ
２  ロータ
３  ロータマグネット
３ａ  端部
４  シャフト
４ａ  球面
５  Ａ相ステータ
６  Ｂ相ステータ
７  第１のステータヨーク
７ａ  開口部
７ｂ  第１の円板
７ｃ  極歯
８  中空円筒コア
８ａ  中空部分
９  ボビン
９ａ  端子
９ｂ  端子部
１０  コイル
１１  第２のステータヨーク
１１ａ  開口部
１１ｂ  第２の円板
１１ｃ  極歯
１２  カバーリング
１４  下部ボス
１５  凹部
１６  樹脂
１７  第１のステータ
１７ａ  開口部
１７ｂ  第１の円板
１７ｃ  極歯
１８  中空円筒コア
１９  ボビン
１９ａ  端子
１９ｂ  端子部
２０  コイル
２１  第２のステータコア
２１ａ  開口部
２１ｂ  第２の円板
２１ｃ  極歯
２２  カバーリング
２３  メタル含油軸受
２４  上部ボス
２５  コイルスプリング
２６  押圧部
２６ａ  大径部
２６ｂ  小径部
２６ｃ  端面
２６ｄ  端面
２７  エンドプレート
２７ａ  開口部
２８  トッププレート
２８ａ  開口部
２９  結合用パイプ
３０  リードスクリュウ部
３０ａ  球面
３１  ブラケット
３２  先端軸受
３２ａ  凹部
５０  ステッピングモータ
５１  ロータマグネット
５２  外ヨーク
５３  内ヨーク
５４  極歯部
５５  コイル
５６  ステータ
５７  ステータ
６０  ステッピングモータ
６１  ロータマグネット
６２  コイル
６３  ステータ
６４  ステータ
６５  シャフト
６６  リードスクリュウ
６７  軸受
６８  軸受
６９  ばね材
７０  ステッピングモータ
７１  出力軸
７２  リードスクリュウ
７３  先端部
７４  先端軸受
７５  ステータ内軸受
７６  圧縮コイルスプリング
７７  スライド部材
７８  内筒
７９  蓋
８０  ロータマグネット
８１  端面
８２  第１のコイル
８３  端面
８４  嵌合部
【図１】
2005151657.tif 000003
【図２】
2005151657.tif 000004
【図３】
2005151657.tif 000005
【図４】
2005151657.tif 000006
【図５】
2005151657.tif 000007
【図６】
2005151657.tif 000008
【図７】
2005151657.tif 000009